(57)【要約】【課題】基板間コネクタの接触不良を防止すること。【解決手段】回路基板３４の固定構造は、被固定部材３６に固定される第一の回路基板と、被固定部材３６に固定される第二の回路基板と、第一の回路基板に配設される雄コネクタ、及び第二の回路基板に配設される雌コネクタからなり、第一の回路基板及び第二の回路基板を機械的に接続する基板間コネクタと、を有し、第一の回路基板及び第二の回路基板が、基板間コネクタが有する接合方向および接合方向に直交する面内方向の位置ずれ許容量を満足するように、且つ雄コネクタおよび雌コネクタの一方が相対的に他方に倣う自由度を有して、それぞれ被固定部材３６に固定されているものである。【選択図】図７
2008194174.tif 000002
【特許請求の範囲】
【請求項１】
被固定部材に固定される第一の回路基板と、
前記被固定部材に固定される第二の回路基板と、
前記第一の回路基板に配設される雄コネクタ、及び前記第二の回路基板に配設される雌コネクタからなり、前記第一の回路基板及び前記第二の回路基板を機械的に接続する基板間コネクタと、を有し、
前記第一の回路基板及び前記第二の回路基板が、前記基板間コネクタが有する接合方向および前記接合方向に直交する面内方向の位置ずれ許容量を満足するように、且つ前記雄コネクタおよび前記雌コネクタの一方が相対的に他方に倣う自由度を有するように、それぞれ前記被固定部材に固定されていることを特徴とする回路基板の固定構造。
【請求項２】
前記第一の回路基板及び前記第二の回路基板の少なくとも一方は、前記基板間コネクタから離間した１の辺の縁部で前記被固定部材に片持ち状態で固定されていることを特徴とする請求項１に記載の回路基板の固定構造。
【請求項３】
前記固定は、前記回路基板の１の辺の縁部に形成した貫通孔を介して前記被固定部材に螺合した固定ねじで行なわれ、
前記貫通孔の径は、前記固定ねじの径に対し前記位置ずれ許容量を越える公差を有して形成されていることを特徴とする請求項２に記載の回路基板の固定構造。
【請求項４】
前記被固定部材には、前記１の辺の縁部に対峙する他の１の辺の縁部に対し、固定方向に所定の自由度を有して位置規制する規制部材が設けられていることを特徴とする請求項２または３に記載の回路基板の固定構造。
【請求項５】
前記第一の回路基板及び前記第二の回路基板の少なくとも一方は、弾力性を有するスペーサを介して前記被固定部材に両持ち状態で固定されていることを特徴とする請求項１に記載の回路基板の固定構造。
【請求項６】
前記固定は、前記回路基板の周縁部に形成した複数の貫通孔を介して前記被固定部材に螺合した固定ねじで行なわれ、
前記貫通孔の径は、前記固定ねじの径に対し前記位置ずれ許容量を越える公差を有して形成されていることを特徴とする請求項５に記載の回路基板の固定構造。
【請求項７】
ディスプレイと、前記ディスプレイを制御するための複数の回路基板と、前記ディスプレイおよび前記複数の回路基板を収容するケースと、から成り、
前記複数の回路基板のうちの隣接する２枚の回路基板が、請求項１ないし６のいずれかに記載の回路基板の固定構造を備えていることを特徴とする遊技機用表示機。
【請求項８】
前記複数の回路基板は、各種コンテンツの基絵のデータを記憶するメモリ基板と、前記基絵のデータに基づいて表示画像を制御するメイン基板と、前記ディスプレイ用に入力信号の変換を行うインタフェース基板と、を有していることを特徴とする請求項７に記載の遊技機用表示機。
【請求項９】
請求項７または８に記載の遊技機用表示機を備えたことを特徴とする遊技機。
【発明の詳細な説明】
【技術分野】
【０００１】
本発明は、基板間コネクタにより相互に機械的に接続した回路基板の固定構造、遊技機用表示機およびこれを用いた遊技機に関するものである。
【背景技術】
【０００２】
従来のパチンコ機等の遊技機には、液晶ディスプレイを有する表示装置（遊技機用表示機）が組み込まれており、この表示装置では、液晶ディスプレイの背面に、ディスプレイの表示制御回路やバックライト用の駆動回路等の多くの電子回路が配設された複数の回路基板が配設され、全体がケースに収容されている。この複数の回路基板同士は、コネクタ部（基板間コネクタ）により接続される一方、各回路基板は、その四隅に設けられた取付け穴を介して、ケースに設けられた取付けボスにそれぞれビス止めされている（特許文献１参照）。
【特許文献１】特開２００４−０５７２９２号公報
【発明の開示】
【発明が解決しようとする課題】
【０００３】
しかしながら、従来の回路基板のケースへの固定構造では、各回路基板の四隅全てがケースにビス止め固定されているため、回路基板に形成した取付け穴の位置や、取付けボスの成形位置に誤差がある場合に、基板間コネクタの接続公差の許容量を越えてしまい、緩みやずれなどが生じて、基板間コネクタに接触不良が起こる問題がある。
【０００４】
本発明は、基板間コネクタの接触不良を確実に防止することができる回路基板の固定構造、遊技機用表示機およびこれを用いた遊技機を提供することを目的とする。
【課題を解決するための手段】
【０００５】
本発明の回路基板の固定構造は、被固定部材に固定される第一の回路基板と、被固定部材に固定される第二の回路基板と、第一の回路基板に固定される雄コネクタ、及び第二の回路基板に固定される雌コネクタからなり、第一の回路基板及び第二の回路基板を機械的に接続する基板間コネクタと、を有し、第一の回路基板及び第二の回路基板が、基板間コネクタが有する接合方向および接合方向に直交する面内方向の位置ずれ許容量を満足するように、且つ雄コネクタおよび雌コネクタの一方が相対的に他方に倣う自由度を有するように、それぞれ被固定部材に固定されていることを特徴とする。
【０００６】
この構成によれば、第一の回路基板及び第二の回路基板が、雄コネクタおよび雌コネクタを相互の位置ずれ許容量を満足し、かつ一方が他方に倣う所定の自由度を有するように被固定部材に固定されるため、回路基板の被固定部材への取付け精度が低い場合に生じる接合方向の位置ずれや、被固定部材における回路基板の被固定部分の成形誤差を吸収することができ、接続したコネクタ同士に無用な力が作用することがない。このため、基板間コネクタにおける雄コネクタと雌コネクタとの間にずれや緩みが生じることがなく、基板間コネクタの接続精度を維持し、基板間コネクタの接触不良を確実に防止することができる。なお、位置ずれ許容量は、基板間コネクタの製品仕様として明示されたものに基づいて決定される。
【０００７】
この場合、第一の回路基板及び第二の回路基板の少なくとも一方は、基板間コネクタから離間した１の辺の縁部で被固定部材に片持ち状態で固定されていることが好ましい。
【０００８】
この構成によれば、固定部分が基板間コネクタから離間するほど自由度が大きくなるので、一方に他方が倣うように接続することができ、基板間コネクタの接触不良をより確実に防止することができる。また、接続される第一の回路基板及び第二の回路基板の両方を片持ちで、被固定部材に固定してもよい。
【０００９】
この場合、固定は、回路基板の１の辺の縁部に形成した貫通孔を介して被固定部材に螺合した固定ねじで行なわれ、貫通孔の径は、固定ねじの径に対し位置ずれ許容量を越える公差を有して形成されていることが好ましい。
【００１０】
この構成によれば、固定ねじによる締め付け方向に直交する方向にも自由度をもって、すなわち３次元的な自由度をもって回路基板を固定することができる。すなわち、固定ねじと貫通孔の径との間の公差内でコネクタ同士の位置ずれを吸収することができるため、回路基板側の取付け穴の形成誤差や被固定部材の取付部の成形誤差が顕著であっても、基板間コネクタの接触不良を有効に防止することができる。なお、固定ねじを本締めすることにより、回路基板を被固定部材に確実に固定することができる。また、被固定部材が回路基板を収容するケースであり、固定ねじがタッピングビスであることが好ましい。
【００１１】
この場合、被固定部材には、１の辺の縁部に対峙する他の１の辺の縁部に対し、固定方向に所定の自由度を有して位置規制する規制部材が設けられていることが好ましい。
【００１２】
この構成によれば、振動等により片持ちの回路基板のコネクタ側が大きくぶれることがなく、回路基板の被固定部材への干渉やビス等の固定部材の緩み等を有効に防止することができる。
【００１３】
この場合、第一の回路基板及び第二の回路基板の少なくとも一方は、弾力性を有するスペーサを介して被固定部材に両持ち状態で固定されていることが好ましい。
【００１４】
この構成によれば、両持ち状態で固定しても、各回路基板に所定の自由度をもたせた状態で固定でき、回路基板の被固定部材に対する固定精度を維持すると共に、スペーサにより回路基板同士の位置ずれ、すなわち雄雌コネクタ同士の位置ずれを吸収することができる。
【００１５】
この場合、固定は、回路基板の周縁部に形成した複数の貫通孔を介して被固定部材に螺合した固定ねじで行なわれ、貫通孔の径は、固定ねじの径に対し位置ずれ許容量を越える公差を有して形成されていることが好ましい。
【００１６】
この構成によれば、固定ねじによる締め付け方向に直交する方向にも自由度をもって、すなわち３次元的な自由度をもって回路基板を固定することができる。すなわち、固定ねじと貫通孔の径との間の公差内でコネクタ同士の位置ずれを吸収することができるため、回路基板側の取付け穴の形成誤差や被固定部材の取付部の成形誤差が顕著であっても、基板間コネクタの接触不良を有効に防止することができる。なお、固定ねじを本締めすることにより、回路基板を被固定部材に確実に固定することができる。また、被固定部材が回路基板を収容するケースであり、固定ねじがタッピングビスであることが好ましい。
【００１７】
本発明の遊技機用表示機は、ディスプレイと、ディスプレイを制御するための複数の回路基板と、ディスプレイおよび複数の回路基板を収容するケースと、から成り、複数の回路基板のうちの隣接する２枚の回路基板が、請求項１ないし６のいずれかに記載の回路基板の固定構造を備えていることを特徴とする。
【００１８】
この構成によれば、基板間コネクタの接触不良を確実に防止することができるので、パチンコ機、スロット機およびゲーム機等のアミューズメント機等の遊技機用表示機に有用である。
【００１９】
この場合、複数の回路基板は、各種コンテンツの基絵のデータを記憶するメモリ基板と、基絵のデータに基づいて表示画像を制御するメイン基板と、ディスプレイ用に入力信号の変換を行うインタフェース基板と、を有していることが好ましい。
【００２０】
この構成によれば、メモリ基板を交換することで、メイン基板を交換しなくても新しいコンテンツの表示画像を得ることができる。同様に、インタフェース基板を交換することで、メイン基板を交換しなくてもディスプレイの交換が可能になる。
【００２１】
本発明の遊技機は、上記した遊技機用表示機を備えたことを特徴とする。
【００２２】
この構成によれば、簡単な構成により、基板間コネクタの接触不良を確実に防止することができるので、装置の信頼性を向上させることができる。
【発明を実施するための最良の形態】
【００２３】
以下、添付の図面を参照して、本実施形態に係る回路基板の固定構造、遊技機用表示機およびこれを用いた遊技機について説明する。本実施形態に係る遊技機は、液晶ディスプレイを有する遊技機用表示機を備えたものであり、遊技機用表示機には、液晶ディスプレイを制御する複数の回路基板が、基板間コネクタにより相互に接続された状態で収容されている。本実施形態では、遊技機としてパチンコ機を例に挙げて説明する。また、本実施形態において、「前」、「後」、「左」、「右」、「上」、「下」は、パチンコ機で遊技を行う遊技者から見た方向に従う。
【００２４】
図１および図２は、本実施形態に係るパチンコ機１０の表裏両側からそれぞれ見た外観斜視図である。両図に示すように、パチンコ機１０は、枠状の筐体１１と、筐体１１に組み込まれた遊技機本体２０と、を備えている。
【００２５】
筐体１１の前面左部には、ヒンジ１２が設けられ、このヒンジ１２を介して遊技機本体２０が前方に開き戸形式で引き出されるようになっている。そして、遊技機本体２０の裏面には、遊技機用表示機３０が着脱自在に取り付けられている。また、筐体１１の上部裏面側には切欠き部１３が形成され、この切欠き部１３には、後述するように下側から遊技球の受け皿４１が臨んでいる。
【００２６】
遊技機本体２０は、前面に広く設けた遊技盤２１と、遊技盤２１の前面を覆う透光板を有する前扉２２と、前面右下部に設けられ、遊技球の発射操作を行うためのハンドル２３と、遊技盤２１の下側に配設した遊技球を貯めるための上皿２４と、上皿２４の下方に配設した下皿２５と、を備えている。
【００２７】
遊技盤２１は、ハンドル２３から打ち出された遊技球を導くガイドレール２６によって囲まれた遊技領域Ａを有し、この遊技領域Ａ内には、遊技球の軌道を変更させる複数の遊技釘２７と、遊技球が入賞すると下皿２５に所定数の遊技球を払い出させる複数の入賞口２８と、遊技球が入ると使用済み遊技球として処理されるアウト口２９が設けられている。また、遊技盤２１の中央部には開口が形成され、この開口には裏側から遊技機用表示機３０の液晶ディスプレイ３１が臨んでいる（詳細は後述する）。また、前扉２２は、遊技盤２１に対し開閉自在に設けられており、前扉２２を開放することにより、遊技盤２１の盤面のメンテナンス等を行うことが可能になっている。
【００２８】
遊技機本体２０の裏面側には、遊技盤２１の裏面の位置に、外部の遊技球供給装置（図示省略）から供給される遊技球を自機に導入する導入ユニット４０と、導入ユニット４０の下方に配置した遊技機用表示機３０と、が配設されている。
【００２９】
導入ユニット４０は、上記の切欠き部１３の下部に配設される受け皿４１と、受け皿４１から供給された遊技球を上皿２４および下皿２５に選択的に供給する払出し装置４３と、受け皿４１と払出し装置４３とを接続する遊技球供給通路４２と、払出し装置４３と上皿２４および下皿２５とを接続する遊技球分岐通路４４と、で構成されている。受け皿４１に供給された遊技球は、遊技球供給通路４２内を転動して払出し装置４３に流れ、払出し装置４３から上皿２４および下皿２５に選択的に供給される。
【００３０】
図２および図３に示すように、遊技盤２１に裏側から臨む遊技機用表示機３０は、表側の液晶ディスプレイ３１と、液晶ディスプレイ３１の裏面に添設したバックライト３２と、液晶ディスプレイ３１の表示を制御する表示制御回路やバックライトの駆動を制御する駆動制御回路等を組み込んだ回路基板３４とを収容するケース３５と、から構成されている。
【００３１】
液晶ディスプレイ３１およびバックライト３２は、ケース３５の表側の空間に組み込まれて、回路基板３４は、ケース３５の裏側の空間に組み込まれている。液晶ディスプレイ３１には、表示制御回路の制御により、抽選結果などの遊技に関連した画像が表示される。バックライト３２は、蛍光管および反射板（図示省略）を有し、駆動制御回路の蛍光管への電圧印加により、蛍光管の生じた放電光を反射板に反射させて液晶ディスプレイ３１側に射出する。
【００３２】
図４に示すように、複数の回路基板３４は、メイン基板５１と、これの両側に配設されたメモリ基板５２およびインタフェース基板５３とで構成されている。この場合、メイン基板５１とインタフェース基板５３とは、第一基板間コネクタ６１により相互に機械的に接続され、同様にメイン基板５１とメモリ基板５２とは、第二基板間コネクタ６２により相互に機械的に接続されている。そして、これらメイン基板５１、メモリ基板５２およびインタフェース基板５３は、相互にコネクタ接続した状態で、ケース３５の中枠３６にそれぞれ固定されている（詳細は後述する。）。なお、メイン基板５１、メモリ基板５２及びインタフェース基板５３は、その面方向に対して垂直な方向から見た際の平面形状がそれぞれ略長方形状である。
【００３３】
メモリ基板５２には、パチンコ機１０により異なる基絵データ等の表示コンテンツが記憶されている。インタフェース基板５３には、液晶ディスプレイ３１のパネルの仕様に合わせて入力信号変換等を行う専用回路が組み込まれている。メモリ基板５２およびインタフェース基板５３は、表示コンテンツの変更および液晶ディスプレイ３１の交換等により交換が必要となる。一方、メイン基板５１には、メモリ基板５２からの表示コンテンツを用いて、液晶ディスプレイ３１に表示される表示画像制御等を行う基本回路が組み込まれており、表示コンテンツおよび液晶ディスプレイ３１が変更した場合でも交換する必要はない。
【００３４】
第一基板間コネクタ６１および第二基板間コネクタ６２は、いずれも隣接する回路基板３４における第一の回路基板に配設された雄コネクタ部６３と、第二の回路基板に配設された雌コネクタ部６４と、で構成されている。例えば、第一基板間コネクタ６１では、インタフェース基板５３が第一の回路基板であり、メイン基板５１が第二の回路基板である。また、インタフェース基板５３の一端部に雄コネクタ部６３が設けられ、これに対峙するメイン基板５１の一端部に雌コネクタ部６４が設けられている。一方、第二基板間コネクタ６２では、メイン基板５１及びメモリ基板５２がそれぞれ第一の回路基板及び第二の回路基板である。
【００３５】
次に、第一基板間コネクタ６１および第二基板間コネクタ６２について説明するが、両基板間コネクタ６１、６２は同一の構造を有しているため、ここでは、メイン基板５１とインタフェース基板５３とを接続する第一基板間コネクタ６１を例に説明を進める。また、以下の説明では、第一基板間コネクタ６１における抜き差しの方向をＺ軸方向とし、これに直交する面内方向のうちピンの列設方向をＸ軸方向、これに直交する方向をＹ軸方向とする。
【００３６】
図４および図５に示すように、雄コネクタ部６３は、方形形状に形成されたハウジング内に、Ｚ軸方向（雌コネクタ部６４側）に突設した雄接続端子６５と、Ｙ軸方向（回路基板３４の面側）に突設されインタフェース基板５３に半田付けされる複数のリード端子６６と、を備えている。一方、雌コネクタ部６４は、方形形状に形成されたハウジング内に、Ｚ軸方向（雄コネクタ部６３側）に突設した雌接続端子６７と、Ｙ軸方向（回路基板３４の面側）に突設されメイン基板５２に半田付けされる複数のリード端子６８と、を備えている。
【００３７】
雄接続端子６５はバネ性を有し、雌接続端子６７はピン状に形成されており、これら両接続端子６５、６７は、Ｘ軸方向に所定のピッチでそれぞれ複数列設されている。実施形態における第一基板間コネクタ６１の製品仕様では、図５（ａ）に示すように、例えば、雄コネクタ部６３の雄接続端子６５と雌コネクタ部６４の雌接続端子６７との有効接触長は２．３ｍｍから１．３ｍｍの間となっており、図５（ｂ）に示すように、Ｚ軸方向への浮き量は１ｍｍ以下であれば、コネクタ接続における接触不良は発生しないものとなっている。同様に、図６（ａ）に示すように、Ｘ軸方向への位置ずれが０．０５ｍｍ以下であれば、また図６（ｂ）に示すように、Ｙ軸方向への位置ずれが０．０２ｍｍ以下であれば、コネクタ接続における接触不良は発生しないものとなっている。以上が、第一基板間コネクタ６１（第二基板間コネクタ６２も同様）の位置ずれ許容量の具体的な数値となる。
【００３８】
図４および図７に示すように、メモリ基板５２には、第二基板間コネクタ６２が設けられた辺に対向する辺（図示左辺）の縁部５５に２つの貫通孔５６、５６が形成されており、メモリ基板５２は、この２つの貫通孔５６、５６を介してケース３５の中枠３６に片持ち形式でビス止め固定されている。同様に、メイン基板５１には、雌コネクタ部６４が設けられた辺に略直行する辺の縁部５７に２つの貫通孔５６、５６が形成されており、メイン基板５１は、この２つの貫通孔５６、５６を介してケース３５の中枠３６に片持ち形式でビス止め固定されている。さらに、インタフェース基板５３には、下側の図示右隅部に１つの貫通孔５６が形成されており、インタフェース基板５３は、この１つの貫通孔５６を介してケース３５の中枠３６に片持ち形式でビス止め固定されている。なお、中枠３６は、メイン基板５１、メモリ基板５２及びインタフェース基板５３が固定される被固定部材である。
【００３９】
一方、ケース３５の中枠３６には、上記複数の貫通孔５６に対応する複数の固定ボス７１と、各回路基板３４のＹ軸方向の揺動を位置規制するための複数の規制部材７２と、が設けられている（図７では、いずれも１つのみ図示）。より具体的には、メイン基板５１に対しては、２つの貫通孔５６、５６が設けられた逆側の辺の縁部を位置規制する２つの規制部材７２、７２が設けられ、インタフェース基板５３に対しては、１つの貫通孔５６が設けられた逆側の辺の縁部を位置規制する１つの規制部材７２が設けられている。なお、メモリ基板５２は小型であるため、これに対応する規制部材７２は設けられていない。そして、これら各回路基板３４は、貫通孔５６を貫通して固定ボス７１に捻じ込んだ固定ビス（タッピングビス）７３により、ケース３５（の中枠３６）に固定されている。この場合、各貫通孔５６の径は、各固定ネジ７３に対して、各基板間コネクタ６１、６２の面内方向（Ｘ軸方向およびＹ軸方向）における位置ずれ許容量を越える寸法公差を有して形成されている。
【００４０】
固定ボス７１は、回路基板３４に形成された貫通孔５６に対峙する位置に配設され、回路基板３４を浮いた状態に支持している（片持ち支持）。また、規制部材７２は、断面逆「Ｌ」字状に形成された第１規制部７６と、第１規制部７６に対峙する凸状の第２規制部７７とから成り、この第１規制部７６と第２規制部７７との間の間隙に、回路基板３４の縁部が臨むようになっている。すなわち、片持ちで固定ボス７１に支持された各回路基板３４は、自由端側を規制部材７２によりＹ軸方向に位置規制されている。言い換えれば、回路基板３４は、その自由端側がＹ軸方向に所定の自由度を有するように固定されている。
【００４１】
ここで、所定の自由度は、各基板間コネクタ６１、６２の位置において、上記の製品仕様（位置ずれ許容量）を満たすものであり、また上記の各貫通孔５６の径と合わせて、製品仕様（位置ずれ許容量）を充足するようになっている。すなわち、接続された２枚の回路基板３４は、各基板間コネクタ６１、６２の有する接合方向（Ｚ軸方向）および接合方向に直行する面内方向（Ｘ軸方向およびＹ軸方向）の位置ずれ許容量を満足するように、且つ雄コネクタ部６３および雌コネクタ部６４の一方が相対的に他方に倣う自由度を有して、片持ち状態でケース３５の中枠３６に固定されている。
【００４２】
以上のように、雄コネクタ部６３および雌コネクタ部６４を相互の位置ずれ許容量を満足し、かつ一方が他方に倣う所定の自由度を有してケース３５に固定されるため、回路基板３４のケース３５への取付け精度が低い場合に生じる接合方向の位置ずれや、ケース３５における固定ボス７１の成形誤差を吸収することができ、接続した各基板間コネクタ６１、６２に無用な力が作用することがない。このため、雄・雌両コネクタ部６３、６４同士のずれや緩みが生じることがなく、各基板間コネクタ６１、６２の接続精度を維持すると共に接触不良を確実に防止することができる。
【００４３】
次に、図８を参照して、本発明の他実施形態における回路基板３４の固定構造について説明する。同図（ａ）の第２実施形態では、規制部材７２が省略されている。固定ボス７１の突出寸法が十分にあり、振動等で回路基板３４のデバイス等がケース３５に接触するおそれがない場合には、単純な構造となり有用である。同図（ｂ）の第３実施形態では、規制部材が段付きボス８１とこれに螺合したビス７３とで構成されている。この場合には、回路基板３４に段付きボス８１に臨む開口８２を形成しておく。なお、規制部材７２を、ボスとこれに螺合する段付きビスとで構成することも可能である。この第３実施形態は、ケース３５が複雑な形状になることがなく、ケース３５の成形において有用となる。
【００４４】
同図（ｃ）の第４実施形態は、回路基板３４を両持ちでケース３５に固定することを前提としたものであり、回路基板３４の固定構造は、ケース３５に形成した段付きボス８１と、これに螺合したビス７３と、段付きボス８１の細径部に装着したスペーサ８３と、で構成されている。スペーサ８３は、弾力性を有するパッド状のものであり、中間位置に回路基板３４（の開口縁部）が係合する環状溝が形成されている。この場合には、例えば回路基板３４を四隅でケース３５に固定しても、その自由度が維持される。なお、この実施形態では、固定部分の両方を上記の固定構造としたが、一方を上記実施形態と同様にビス止めするようにしてもよい。
【００４５】
なお、本実施形態では、パチンコ機１０を例に説明をしたが、これに限定されるものではなく、基板間コネクタ６１、６２により接続された複数の回路基板３４を有する遊技機用表示機３０を備えたスロット機やゲーム機等のアミューズメント機に、本発明を適用することができる。
【図面の簡単な説明】
【００４６】
【図１】本発明の実施形態に係るパチンコ機を前面側から見た外観斜視図である。
【図２】本実施形態に係るパチンコ機の後面側から見た外観斜視図である。
【図３】本実施形態に係る遊技機用表示機をケースの側面側から見た模式的な断面図である。
【図４】本実施形態に係る複数の回路基板を説明するための平面図である。
【図５】本実施形態に係る基板間コネクタを説明するための図である。
【図６】本実施形態に係る基板間コネクタの位置ずれ許容量を説明するための図である。
【図７】本実施形態に係る回路基板の固定構造を説明するための断面模式図である。
【図８】本発明の他の実施形態に係る回路基板の固定構造を説明するための断面模式図である。
【符号の説明】
【００４７】
３０…遊技機用表示機  ３１…液晶ディスプレイ  ３４…回路基板  ３５…ケース  ５１…メイン基板  ５２…メモリ基板  ５３…インタフェース基板  ５５、５７…縁部  ５６…貫通孔  ６１、６２…基板間コネクタ  ６３…雄コネクタ部  ６４…雌コネクタ部  ７２…規制部材  ８３…スペーサ
【図１】
2008194174.tif 000003
【図２】
2008194174.tif 000004
【図３】
2008194174.tif 000005
【図４】
2008194174.tif 000006
【図５】
2008194174.tif 000007
【図６】
2008194174.tif 000008
【図７】
2008194174.tif 000009
【図８】
2008194174.tif 000010